(57)【要約】【課題】ユーザーが見易いレイアウトでオブジェクトを表示する。【解決手段】タブレット端末装置１００は、ディスプレー１１、検出部２０４、調整部２０５、及び表示部２０６を備える。検出部２０４は、ディスプレー１１に表示された第１オブジェクトＢＪ１に対してタップ操作が行われたことを検出する。調整部２０５は、検出部２０４が第１オブジェクトＢＪ１に対してタップ操作が行われたことを検出した場合に、ディスプレー１１における第１オブジェクトＢＪ１の表示位置を調整する。表示部２０６は、検出部２０４が第１オブジェクトＢＪ１に対してタップ操作が行われたことを検出した場合に、第１オブジェクトＢＪ１に関連する情報を示す第２オブジェクトＢＪ２を表示する。【選択図】図２
2018101333.tif 000002
【特許請求の範囲】
【請求項１】
ディスプレーと、
前記ディスプレーに表示された第１オブジェクトに対して所定の操作が行われたことを検出する検出部と、
前記検出部が前記第１オブジェクトに対して前記所定の操作が行われたことを検出した場合に、前記ディスプレーにおける前記第１オブジェクトの表示位置を調整する調整部と
前記検出部が前記第１オブジェクトに対して前記所定の操作が行われたことを検出した場合に、前記第１オブジェクトに関連する情報を示す第２オブジェクトを表示する表示部と、
を備える、表示制御装置。
【請求項２】
タッチサンサーを更に備え、
前記所定の操作は、前記第１オブジェクトに対するタッチ操作を示す、請求項１に記載の表示制御装置。
【請求項３】
前記第１オブジェクトは、前記ディスプレーに表示された第１画面に含まれ、
前記調整部は、前記第１画面をスクロールすることによって、前記ディスプレーにおける前記第１オブジェクトの表示位置を調整する、請求項１又は請求項２に記載の表示制御装置。
【請求項４】
前記調整部は、前記第２オブジェクトが前記ディスプレーに表示される領域を確保するように前記ディスプレーにおける前記第１オブジェクトの表示位置を調整する、請求項１から請求項３のいずれか１項に記載の表示制御装置。
【請求項５】
ユーザーが右利きであるか左利きであるかを決定する第１決定部を更に備え、
前記調整部は、前記第１決定部の決定結果に応じて、前記ディスプレーにおける前記第１オブジェクトの表示位置を調整する、請求項１から請求項４のいずれか１項に記載の表示制御装置。
【請求項６】
前記第１オブジェクトに対して前記第２オブジェクトを、前記ディスプレーの長辺方向の一方側に表示するか、前記長辺方向の他方側に表示するかを決定する第２決定部を更に備え、
前記調整部は、前記第２決定部の決定結果に応じて、前記ディスプレーにおける前記第１オブジェクトの表示位置を調整する、請求項１から請求項５のいずれか１項に記載の表示制御装置。
【請求項７】
前記第１オブジェクトに対して前記第２オブジェクトを、前記ディスプレーの短辺方向の一方側に表示するか、前記短辺方向の他方側に表示するかを決定する第３決定部を更に備え、
前記調整部は、前記第３決定部の決定結果に応じて、前記ディスプレーにおける前記第１オブジェクトの表示位置を調整する、請求項１から請求項６のいずれか１項に記載の表示制御装置。
【請求項８】
ディスプレーを備える表示制御装置の表示制御方法であって、
前記ディスプレーに表示された第１オブジェクトに対して所定の操作が行われたことを検出する検出ステップと、
前記第１オブジェクトに対して前記所定の操作が行われたことが検出された場合に、前記ディスプレーにおける前記第１オブジェクトの表示位置を調整する調整ステップと
前記第１オブジェクトに対して前記所定の操作が行われたことが検出された場合に、前記第１オブジェクトに関連する情報を示す第２オブジェクトを表示する表示ステップと、
を含む、表示制御方法。
【発明の詳細な説明】
【技術分野】
【０００１】
本発明は、ディスプレーを備える表示制御装置、及び表示制御方法に関する。
【背景技術】
【０００２】
特許文献１に記載の表示位置決定装置は、吹き出しをオブジェクトが表示されていない非表示領域に表示可能か否かを判定する。吹き出しは、第１オブジェクトに関する情報を表示する。非表示領域に表示不能と判断された場合には、表示占有率が所定の閾値以上となる第２オブジェクトを検索する。第２オブジェクトの表示領域内に、第１オブジェクトの吹き出しの表示領域を決定する。
【先行技術文献】
【特許文献】
【０００３】
【特許文献１】特開２００９−２３７９５３号公報
【発明の概要】
【発明が解決しようとする課題】
【０００４】
しかしながら、特許文献１に記載の表示位置決定装置では、第２オブジェクトの大きさ及び形状に応じて、吹き出しの大きさ及び形状を調整する必要がある。したがって、吹き出しの大きさ及び形状に応じて、吹き出し内に表示するコンテンツのレイアウトを調整する必要がある。その結果、コンテンツがユーザーにとって見難く表示される可能性がある。
【０００５】
本発明は、上記課題に鑑みてなされたものであり、オブジェクトをユーザーが見易く表示可能な表示制御装置、及び表示制御方法を提供することを目的としている。
【課題を解決するための手段】
【０００６】
本発明の表示制御装置は、ディスプレー、検出部、調整部、及び表示部を備える。前記検出部は、前記ディスプレーに表示された第１オブジェクトに対して所定の操作が行われたことを検出する。前記調整部は、前記検出部が前記第１オブジェクトに対して前記所定の操作が行われたことを検出した場合に、前記ディスプレーにおける前記第１オブジェクトの表示位置を調整する。前記表示部は、前記検出部が前記第１オブジェクトに対して前記所定の操作が行われたことを検出した場合に、前記第１オブジェクトに関連する情報を示す第２オブジェクトを表示する。
【０００７】
本発明の表示制御方法は、ディスプレーを備える表示制御装置の表示制御方法である。前記表示制御方法は、検出ステップ、調整ステップ、及び表示ステップを含む。前記検出ステップにおいて、前記ディスプレーに表示された第１オブジェクトに対して所定の操作が行われたことを検出する。前記調整ステップにおいて、前記第１オブジェクトに対して前記所定の操作が行われたことが検出された場合に、前記ディスプレーにおける前記第１オブジェクトの表示位置を調整する。前記表示ステップにおいて、前記第１オブジェクトに対して前記所定の操作が行われたことが検出された場合に、前記第１オブジェクトに関連する情報を示す第２オブジェクトを表示する。
【発明の効果】
【０００８】
本発明の表示制御装置、及び表示制御方法によれば、オブジェクトをユーザーが見易く表示できる。
【図面の簡単な説明】
【０００９】
【図１】本発明の実施形態に係るタブレット端末装置の構成を示す図である。
【図２】本発明の実施形態に係る制御部の構成を示す図である。
【図３】検出部、調整部及び表示部の処理の一例を示す図である。（ａ）は、第１オブジェクトがタップ操作される前の第１画面を示す。（ｂ）は、第１オブジェクトがタップ操作された後の第２画面を示す。
【図４】検出部、調整部及び表示部の処理の図３とは別の一例を示す図である。（ａ）は、第１オブジェクトがタップ操作される前の第１画面を示す。（ｂ）は、第１オブジェクトがタップ操作された後の第２画面を示す。
【図５】検出部、調整部及び表示部の処理の図３及び図４とは別の一例を示す図である。（ａ）は、第１オブジェクトがタップ操作される前の第１画面を示す。（ｂ）は、第１オブジェクトがタップ操作された後の第２画面を示す。
【図６】第１オブジェクトに対する第２オブジェクトの表示位置の一例を示す図である。（ａ）は、第１オブジェクトに対して第２方向の後端側に第２オブジェクトを表示する画面を示す。（ｂ）は、第１オブジェクトに対して第２方向の先端側に第２オブジェクトを表示する画面を示す。
【図７】第１オブジェクトに対する第２オブジェクトの表示位置の図６とは別の一例を示す図である。（ａ）は、第１オブジェクトに対して第１方向の先端側に第２オブジェクトを表示する画面を示す。（ｂ）は、第１オブジェクトに対して第１方向の後端側に第２オブジェクトを表示する画面を示す。
【図８】制御部の処理を示すフローチャートである。
【図９】制御部の位置決定処理を示すフローチャートである。
【図１０】制御部の位置決定処理を示すフローチャートである。
【発明を実施するための形態】
【００１０】
以下、本発明の実施形態について、図面（図１〜図１０）を参照しながら説明する。なお、図中、同一又は相当部分については同一の参照符号を付して説明を繰り返さない。
【００１１】
まず、図１を参照して本発明の実施形態に係るタブレット端末装置１００の構成について説明する。図１は、タブレット端末装置１００の構成を示す図である。図１に示すように、タブレット端末装置１００はタッチパネル１及び制御部２を備える。タブレット端末装置１００は、「表示制御装置」の一例に相当する。タッチパネル１は画像を表示すると共に、ユーザーからの操作を受け付ける。制御部２はタッチパネル１の動作を制御する。
【００１２】
タッチパネル１は、ディスプレー１１及びタッチセンサー１２を備える。ディスプレー１１は画像を表示する。タッチセンサー１２はタッチパネル１への物体の接触位置を検出する。タッチセンサー１２は、例えばディスプレー１１の表示面上に配置される。
【００１３】
制御部２は、プロセッサー２１及び記憶部２２を備える。プロセッサー２１は、例えばＣＰＵ（Ｃｅｎｔｒａｌ  Ｐｒｏｃｅｓｓｉｎｇ  Ｕｎｉｔ）を備える。記憶部２２は、半導体メモリーのようなメモリーを備え、ＨＤＤ（Ｈａｒｄ  Ｄｉｓｋ  Ｄｒｉｖｅ）を備えてもよい。記憶部２２は、制御プログラムを記憶している。
【００１４】
次に、図１〜図３を参照して本発明の実施形態に係る制御部２の構成について説明する。図２は、制御部２の構成を示す図である。図３は、制御部２の処理の一例を示す図である。図３（ａ）は、第１オブジェクトＢＪ１がタップ操作される前の第１画面ＳＣ１を示す。図３（ｂ）は、第１オブジェクトＢＪ１がタップ操作された後の第２画面ＳＣ２を示す。タップ操作は、「所定の操作」の一例に相当する。
【００１５】
図２に示すように、制御部２は、第１決定部２０１、第２決定部２０２、第３決定部２０３、検出部２０４、調整部２０５及び表示部２０６を備える。具体的には、プロセッサー２１は、制御プログラムを実行することによって、第１決定部２０１、第２決定部２０２、第３決定部２０３、検出部２０４、調整部２０５及び表示部２０６として機能する。以下では、図３を参照して図２に示す制御部２の構成を説明する。
【００１６】
第１決定部２０１は、ユーザーが右利きであるか左利きであるかを決定する。
【００１７】
第２決定部２０２は、第１オブジェクトＢＪ１に対して第２オブジェクトＢＪ２を第１方向ＤＲ１の先端側に表示するか、第２オブジェクトＢＪ２を第１オブジェクトＢＪ１に対して第１方向ＤＲ１の後端側に表示するかを決定する。
【００１８】
第３決定部２０３は、第１オブジェクトＢＪ１に対して第２オブジェクトＢＪ２を第２方向ＤＲ２の先端側に表示するか、第１オブジェクトＢＪ１に対して第２オブジェクトＢＪ２を第２方向ＤＲ２の後端側に表示するかを決定する。
【００１９】
検出部２０４は、ディスプレー１１に表示された第１オブジェクトＢＪ１に対して所定の操作が行われたことを検出する。
【００２０】
調整部２０５は、第１オブジェクトＢＪ１に対して所定の操作が行われたことを検出部２０４が検出した場合に、ディスプレー１１における第１オブジェクトＢＪ１の表示位置を調整する。
【００２１】
表示部２０６は、第１オブジェクトＢＪ１に対して所定の操作が行われたことを検出部２０４が検出した場合に、第１オブジェクトＢＪ１に関連する情報を示す第２オブジェクトＢＪ２を表示する。
【００２２】
次に、図１〜図３を参照して、検出部２０４、調整部２０５及び表示部２０６の処理について更に説明する。
【００２３】
図３（ａ）に示すように、第１画面ＳＣ１には、第１オブジェクトＢＪ１と第３オブジェクトＢＪ３とが表示されている。第１オブジェクトＢＪ１は、例えば、アイコンを示す。第１オブジェクトＢＪ１は、ディスプレー１１において第１方向ＤＲ１の後端側（左側）に配置され、第２方向ＤＲ２の先端側（上側）に配置されている。第１方向ＤＲ１は、ディスプレー１１の長辺に平行な方向を示す。第２方向ＤＲ２は、ディスプレー１１の短辺に平行な方向を示す。本発明の実施形態において、「長辺に平行な方向」を「長辺方向」と記載し、「短辺に平行な方向」を「短辺方向」と記載する場合がある。
【００２４】
第３オブジェクトＢＪ３は、例えば、テキストの画像を示す。第３オブジェクトＢＪ３は、第１オブジェクトＢＪ１に対して第２方向ＤＲ２の後端側（下側）に配置されている。
【００２５】
検出部２０４は、第１オブジェクトＢＪ１に対するタップ操作を検出する。具体的には、検出部２０４は、タッチセンサー１２を介して、第１オブジェクトＢＪ１に対するタップ操作を検出する。「タップ操作」は、タッチパネル１において第１オブジェクトＢＪ１が表示された位置に、ユーザーが、例えば右手Ｈの人差し指の先端をタッチした後、右手Ｈの人差し指の先端を第１オブジェクトＢＪ１から離間する操作を示す。また、「タップ操作」は、「タッチ操作」の一例に相当する。
【００２６】
調整部２０５は、第１オブジェクトＢＪ１に対するタップ操作を検出部２０４が検出した場合に、第２オブジェクトＢＪ２がディスプレー１１に表示される領域を確保するように第１オブジェクトＢＪ１の表示位置を調整する。具体的には、第１オブジェクトＢＪ１がディスプレー１１の第２方向ＤＲ２の先端側（上側）に配置されているため、ディスプレー１１において第１オブジェクトＢＪ１に対して第２方向ＤＲ２の後端側（下側）に第２オブジェクトＢＪ２を表示するための領域が存在する。したがって、調整部２０５は、第１オブジェクトＢＪ１の表示位置が適切な位置にあると判定する。このような場合には、調整部２０５は、第１オブジェクトＢＪ１の表示位置を調整する必要がない。
【００２７】
表示部２０６は、第１オブジェクトＢＪ１に対するタップ操作を検出部２０４が検出した場合に、図３（ｂ）に示す第２オブジェクトＢＪ２をディスプレー１１に表示する。
【００２８】
図３（ｂ）に示すように、ディスプレー１１には、第１オブジェクトＢＪ１と第２オブジェクトＢＪ２とが表示されている。第１オブジェクトＢＪ１に対して第２オブジェクトＢＪ２は第２方向ＤＲ２の後端側（下側）に配置されている。第３オブジェクトＢＪ３は、第２オブジェクトＢＪ２で隠れている。
【００２９】
第２オブジェクトＢＪ２は、第１オブジェクトＢＪ１に関連する情報を示す。具体的には、第２オブジェクトＢＪ２には、例えば、第１オブジェクトＢＪ１の機能に関する説明が表示される。また、第２オブジェクトＢＪ２は、いわゆる「吹き出し」を示す。
【００３０】
以上、図１〜図３を参照して説明したように、本発明の実施形態では、第１オブジェクトＢＪ１に対して所定の操作が行われたことを検出部２０４が検出した場合に、調整部２０５がディスプレー１１における第１オブジェクトＢＪ１の表示位置を調整し、表示部２０６が第１オブジェクトＢＪ１に関連する情報を示す第２オブジェクトＢＪ２を表示する。したがって、第１オブジェクトＢＪ１の位置を適正な位置に調整することによって、第２オブジェクトＢＪ２の大きさ及び形状を調整することなく、第２オブジェクトＢＪ２をディスプレー１１に表示できる。その結果、第２オブジェクトＢＪ２をユーザーが見易く表示できる。
【００３１】
次に、図１〜図５を参照して、検出部２０４、調整部２０５及び表示部２０６の処理について更に説明する。図４は、検出部２０４、調整部２０５及び表示部２０６の処理の図３とは別の一例を示す図である。図４（ａ）は、第１画面ＳＣ１を示す。図４（ｂ）は、第２画面ＳＣ２を示す。図４は、図３と比較して、第１画面ＳＣ１における第１オブジェクトＢＪ１の位置が相違している。具体的には、図３（ａ）の第１オブジェクトＢＪ１がディスプレー１１において第２方向ＤＲ２の先端側（上側）に配置されているのに対して、図４（ａ）の第１オブジェクトＢＪ１は、ディスプレー１１において第２方向ＤＲ２の略中央に配置されている。以下の説明では、図３と相違する点について主に説明する。
【００３２】
図４（ａ）に示すように、第１画面ＳＣ１には、第１オブジェクトＢＪ１と第３オブジェクトＢＪ３とが表示されている。第１オブジェクトＢＪ１は、第１画面ＳＣ１において第１方向ＤＲ１の後端側（左側）に配置され、第２方向ＤＲ２の略中央に配置されている。
【００３３】
検出部２０４は、第１オブジェクトＢＪ１に対するタップ操作を検出する。
【００３４】
調整部２０５は、第１オブジェクトＢＪ１に対するタップ操作を検出部２０４が検出した場合に、第２オブジェクトＢＪ２がディスプレー１１に表示される領域を確保するように第１オブジェクトＢＪ１のディスプレー１１における表示位置を調整する。具体的には、調整部２０５は、ディスプレー１１において第１オブジェクトＢＪ１が第２方向ＤＲ２の先端側（上側）に位置するように、第１画面ＳＣ１を第２方向ＤＲ２の先端側に矢印ＳＲ１で示す方向にスクロールする。
【００３５】
その結果、図４（ｂ）に示すように、第１オブジェクトＢＪ１は、ディスプレー１１の第２方向ＤＲ２の先端側（上側）に配置される。したがって、ディスプレー１１において第１オブジェクトＢＪ１に対して第２方向ＤＲ２の後端側（下側）に第２オブジェクトＢＪ２を表示するための領域が確保される。
【００３６】
表示部２０６は、第１オブジェクトＢＪ１に対するタップ操作を検出部２０４が検出した場合に、図４（ｂ）に示す第２オブジェクトＢＪ２をディスプレー１１に表示する。第３オブジェクトＢＪ３の一部は、第２オブジェクトＢＪ２で隠れている。
【００３７】
図５は、検出部２０４、調整部２０５及び表示部２０６の処理の図３及び図４とは別の一例を示す図である。図５（ａ）は、第１画面ＳＣ１を示す。図５（ｂ）は、第２画面ＳＣ２を示す。図５は、図３及び図４と比較して、第１画面ＳＣ１における第１オブジェクトＢＪ１の位置が相違している。
【００３８】
具体的には、図３（ａ）の第１オブジェクトＢＪ１がディスプレー１１において第２方向ＤＲ２の先端側（上側）に配置されているのに対して、図５（ａ）の第１オブジェクトＢＪ１は、ディスプレー１１において第２方向ＤＲ２の略中央に配置されている。また、図３（ａ）の第１オブジェクトＢＪ１がディスプレー１１において第１方向ＤＲ１の後端側（左側）に配置されているのに対して、図５（ａ）の第１オブジェクトＢＪ１は、ディスプレー１１において第１方向ＤＲ１の略中央に配置されている。
【００３９】
また、図４（ａ）の第１オブジェクトＢＪ１がディスプレー１１において第１方向ＤＲ１の後端側（左側）に配置されているのに対して、図５（ａ）の第１オブジェクトＢＪ１は、ディスプレー１１において第１方向ＤＲ１の略中央に配置されている。以下の説明では、図３と相違する点について主に説明する。
【００４０】
図５（ａ）に示すように、第１画面ＳＣ１には、第１オブジェクトＢＪ１と第３オブジェクトＢＪ３とが表示されている。第１オブジェクトＢＪ１は、第１画面ＳＣ１において第１方向ＤＲ１の略中央に配置され、第２方向ＤＲ２の略中央に配置されている。
【００４１】
検出部２０４は、第１オブジェクトＢＪ１に対するタップ操作を検出する。
【００４２】
調整部２０５は、第１オブジェクトＢＪ１に対するタップ操作を検出部２０４が検出した場合に、ディスプレー１１において第１オブジェクトＢＪ１が第２方向ＤＲ２の先端側（上側）に位置するように、第１画面ＳＣ１を第２方向ＤＲ２の先端側に矢印ＳＲ２で示す方向にスクロールする。
【００４３】
その結果、図５（ｂ）に示すように、第１オブジェクトＢＪ１は、ディスプレー１１の第２方向ＤＲ２の先端側（上側）に配置される。したがって、ディスプレー１１において第１オブジェクトＢＪ１に対して第２方向ＤＲ２の後端側（下側）に第２オブジェクトＢＪ２を表示するための領域が確保される。
【００４４】
表示部２０６は、第１オブジェクトＢＪ１に対するタップ操作を検出部２０４が検出した場合に、図５（ｂ）に示す第２オブジェクトＢＪ２をディスプレー１１に表示する。第３オブジェクトＢＪ３の一部は、第２オブジェクトＢＪ２で隠れている。
【００４５】
以上、図１〜図５を参照して説明したように、本発明の実施形態において、第１オブジェクトＢＪ１に対するタップ操作が行われた場合に、表示部２０６が第２オブジェクトＢＪ２をディスプレー１１に表示する。したがって、ユーザーは簡単な操作で第２オブジェクトＢＪ２をディスプレー１１に表示できる。
【００４６】
また、調整部２０５が、第１画面ＳＣ１をスクロールすることによって、ディスプレー１１における第１オブジェクトＢＪ１の表示位置を調整する。したがって、第１画面ＳＣ１のレイアウトを変更することなく、第２オブジェクトＢＪ２をディスプレー１１に表示できる。
【００４７】
更に、調整部２０５は、第２オブジェクトＢＪ２がディスプレー１１に表示される領域を確保するようにディスプレー１１における第１オブジェクトＢＪ１の表示位置を調整する。よって、ディスプレー１１における第１オブジェクトＢＪ１の表示位置を調整することによって、第２オブジェクトＢＪ２がディスプレー１１に表示される領域を確保できる。したがって、第２オブジェクトＢＪ２の大きさ及び形状を調整することなく、第２オブジェクトＢＪ２をディスプレー１１に表示できる。
【００４８】
以上、図１〜図５を参照して説明したように、表示部２０６が第１オブジェクトＢＪ１に対して第２オブジェクトＢＪ２を第２方向ＤＲ２の後端側（下側）に表示するが、本発明はこれに限定されない。表示部２０６が第１オブジェクトＢＪ１に対して第２オブジェクトＢＪ２を第２方向ＤＲ２の後端側（下側）又は先端側（上側）、若しくは、第１方向ＤＲ１の後端側（左側）又は先端側（右側）に表示する形態であればよい。
【００４９】
次に、図１〜図７を参照して、第１オブジェクトＢＪ１に対する第２オブジェクトＢＪ２の表示位置について説明する。図６は、第１オブジェクトＢＪ１に対する第２オブジェクトＢＪ２の表示位置の一例を示す図である。図６（ａ）は、第１オブジェクトＢＪ１に対して第２方向ＤＲ２の後端側に第２オブジェクトＢＪ２を表示する画面ＳＣ３を示す。図６（ｂ）は、第１オブジェクトＢＪ１に対して第２方向ＤＲ２の先端側に第２オブジェクトＢＪ２を表示する画面ＳＣ４を示す。
【００５０】
図６（ａ）に示す画面ＳＣ３では、表示部２０６は、第１オブジェクトＢＪ１に対して第２方向ＤＲ２の後端側（下側）に第２オブジェクトＢＪ２を表示する。この場合には、調整部２０５は、ディスプレー１１において第１オブジェクトＢＪ１が第２方向ＤＲ２の先端側（上側）に位置するように画面ＳＣ３を第２方向ＤＲ２の先端方向（上方向）にスクロールする。
【００５１】
図６（ｂ）に示す画面ＳＣ４では、表示部２０６は、第１オブジェクトＢＪ１に対して第２方向ＤＲ２の先端側（上側）に第２オブジェクトＢＪ２を表示する。この場合には、調整部２０５は、ディスプレー１１において第１オブジェクトＢＪ１が第２方向ＤＲ２の後端側（下側）に位置するように画面ＳＣ４を第２方向ＤＲ２の後端方向（下方向）にスクロールする。
【００５２】
第３決定部２０３は、第１オブジェクトＢＪ１に対して第２オブジェクトＢＪ２を、第２方向ＤＲ２の先端側に表示するか、第２方向ＤＲ２の後端側に表示するかを決定する。すなわち、第２オブジェクトＢＪ２を第１オブジェクトＢＪ１に対して第２方向ＤＲ２の先端側に表示すると第３決定部２０３が決定した場合には、表示部２０６は図６（ｂ）に示す画面ＳＣ４を表示する。また、第１オブジェクトＢＪ１に対して第２オブジェクトＢＪ２を第２方向ＤＲ２の後端側に表示すると第３決定部２０３が決定した場合には、表示部２０６は図６（ａ）に示す画面ＳＣ３を表示する。
【００５３】
図７は、第１オブジェクトＢＪ１に対する第２オブジェクトＢＪ２の表示位置の図６とは別の一例を示す図である。図６では第１オブジェクトＢＪ１の第２方向ＤＲ２の表示位置と第２オブジェクトＢＪ２の第２方向ＤＲ２の表示位置との関係を示しているのに対して、図７では第１オブジェクトＢＪ１の第１方向ＤＲ１の表示位置と第２オブジェクトＢＪ２の第１方向ＤＲ１の表示位置との関係を示している点で相違している。図７（ａ）は、第１オブジェクトＢＪ１に対して第１方向ＤＲ１の先端側に第２オブジェクトＢＪ２を表示する画面ＳＣ５を示す。図７（ｂ）は、第１オブジェクトＢＪ１に対して第１方向ＤＲ１の後端側に第２オブジェクトＢＪ２を表示する画面ＳＣ６を示す。
【００５４】
図７（ａ）に示す画面ＳＣ５では、表示部２０６は、第１オブジェクトＢＪ１に対して第１方向ＤＲ１の先端側（右側）に第２オブジェクトＢＪ２を表示する。この場合には、調整部２０５は、ディスプレー１１において第１オブジェクトＢＪ１が第１方向ＤＲ１の後端側（左側）に位置するように画面ＳＣ５を第１方向ＤＲ１の後端方向（左方向）にスクロールする。
【００５５】
図７（ｂ）に示す画面ＳＣ６では、表示部２０６は、第１オブジェクトＢＪ１に対して第１方向ＤＲ１の後端側（左側）に第２オブジェクトＢＪ２を表示する。この場合には、調整部２０５は、ディスプレー１１において第１オブジェクトＢＪ１が第１方向ＤＲ１の先端側（右側）に位置するように画面ＳＣ６を第１方向ＤＲ１の先端方向（右方向）にスクロールする。
【００５６】
第２決定部２０２は、第２オブジェクトＢＪ２を第１オブジェクトＢＪ１に対して、第１方向ＤＲ１の先端側に表示するか、第１方向ＤＲ１の後端側に表示するかを決定する。すなわち、第１オブジェクトＢＪ１に対して第２オブジェクトＢＪ２を第１方向ＤＲ１の先端側に表示すると第２決定部２０２が決定した場合には、表示部２０６は図７（ａ）に示す画面ＳＣ５を表示する。また、第１オブジェクトＢＪ１に対して第２オブジェクトＢＪ２を第１方向ＤＲ１の後端側に表示すると第２決定部２０２が決定した場合には、表示部２０６は図７（ｂ）に示す画面ＳＣ６を表示する。
【００５７】
以上、図１〜図７を参照して説明したように、本発明の実施形態では、第２決定部２０２が、第１オブジェクトＢＪ１に対して第２オブジェクトＢＪ２を、第１方向ＤＲ１の先端側に表示するか、第１方向ＤＲ１の後端側に表示するかを決定する。そして、第２決定部２０２の決定結果に応じて、調整部２０５が、ディスプレー１１における第１オブジェクトＢＪ１の表示位置を調整する。したがって、ディスプレー１１における第１方向ＤＲ１についてユーザーが所望する位置に第２オブジェクトＢＪ２を表示できる。
【００５８】
また、第２決定部２０２が、第１オブジェクトＢＪ１に対して第２オブジェクトＢＪ２を、第２方向ＤＲ２の先端側に表示するか、第２方向ＤＲ２の後端側に表示するかを決定する。そして、第２決定部２０２の決定結果に応じて、調整部２０５が、ディスプレー１１における第１オブジェクトＢＪ１の表示位置を調整する。したがって、ディスプレー１１における第２方向ＤＲ２についてユーザーが所望する位置に第２オブジェクトＢＪ２を表示できる。
【００５９】
次に、図１〜図５、及び図８を参照して、制御部２の処理について説明する。図８は、制御部２の処理を示すフローチャートである。
図８に示すように、まず、ステップＳ１０１において、制御部２が「位置決定処理」を行う。「位置決定処理」は、第１オブジェクトＢＪ１に対して第２オブジェクトＢＪ２を表示する位置を決定する処理を示す。
次に、ステップＳ１０３において、検出部２０４が、第１オブジェクトＢＪ１に対するタップ操作を検出したか否かを判定する。
第１オブジェクトＢＪ１に対するタップ操作を検出していないと検出部２０４が判定した場合（ステップＳ１０３でＮＯ）には、処理が待機状態になる。第１オブジェクトＢＪ１に対するタップ操作を検出したと検出部２０４が判定した場合（ステップＳ１０３でＹＥＳ）には、処理がステップＳ１０５に進む。
【００６０】
そして、ステップＳ１０５において、調整部２０５が、ディスプレー１１における第１オブジェクトＢＪ１の表示位置を取得する。
次に、ステップＳ１０７において、調整部２０５が、第１オブジェクトＢＪ１の表示位置を調整する。具体的には、調整部２０５は、第２オブジェクトＢＪ２がディスプレー１１に表示される領域を確保するようにディスプレー１１における第１オブジェクトＢＪ１の表示位置を調整する。更に具体的には、調整部２０５は、第２オブジェクトＢＪ２がディスプレー１１に表示される領域を確保するようにディスプレー１１に表示されている第１画面ＳＣ１をスクロールする。
そして、ステップＳ１０９において、表示部２０６は、第２オブジェクトＢＪ２をディスプレー１１に表示し、処理が終了する。
【００６１】
以上、図１〜図５、及び図８を参照して説明したように、本発明の実施形態では、第１オブジェクトＢＪ１に対してタップ操作が行われたことを検出した場合に、ディスプレー１１における第１オブジェクトＢＪ１の表示位置を調整し、第２オブジェクトＢＪ２を表示する。したがって、第１オブジェクトＢＪ１の位置を適正な位置に調整することによって、第２オブジェクトＢＪ２の大きさ及び形状を調整することなく、第２オブジェクトＢＪ２をディスプレー１１に表示することができる。その結果、第２オブジェクトＢＪ２をユーザーが見易く表示できる。
【００６２】
なお、ステップＳ１０３が「検出ステップ」に相当し、ステップＳ１０５及びステップＳ１０７が「調整ステップ」に相当し、ステップＳ１０９が「表示ステップ」に相当する。
【００６３】
次に、図１、図２、図６〜図９及び図１０を参照して、制御部２の「位置決定処理」について説明する。図９及び図１０は、制御部２の「位置決定処理」を示すフローチャートである。
図９に示すように、まず、ステップＳ２０１において、第１決定部２０１が、ユーザーが右利きであるか否かを判定する。例えば、第１決定部２０１は、タッチパネル１によるユーザーからの操作に基づき、ユーザーが右利きであるか否かを判定する。具体的には、第１決定部２０１は、タッチパネル１に、右利きを選択する際にタッチされる右利きボタンと、左利きを選択する際にタッチされる左利きボタンとを表示する。そして、第１決定部２０１は、右利きボタンのタッチを検出した場合には、ユーザーが右利きであると判定し、左利きボタンのタッチを検出した場合には、ユーザーが左利きであると判定する。
ユーザーが右利きではないと第１決定部２０１が判定した場合（ステップＳ２０１でＮＯ）には、処理がステップＳ２０５に進む。ユーザーが右利きであると第１決定部２０１が判定した場合（ステップＳ２０１でＹＥＳ）には、処理がステップＳ２０３に進む。
そして、ステップＳ２０３において、第１決定部２０１は、第１オブジェクトＢＪ１に対して第２オブジェクトＢＪ２を第１方向ＤＲ１の後端側（左側）に表示すると決定し、処理が図８のステップＳ１０３にリターンする。
【００６４】
ステップＳ２０１でＮＯの場合には、ステップＳ２０５において、第１決定部２０１が、ユーザーが左利きであるか否かを判定する。例えば、第１決定部２０１は、タッチパネル１によるユーザーからの操作に基づき、ユーザーが左利きであるか否かを判定する。
ユーザーが左利きではないと第１決定部２０１が判定した場合（ステップＳ２０５でＮＯ）には、処理が図１０のステップＳ２０９に進む。ユーザーが左利きであると第１決定部２０１が判定した場合（ステップＳ２０５でＹＥＳ）には、処理がステップＳ２０７に進む。
そして、ステップＳ２０７において、第１決定部２０１は、第１オブジェクトＢＪ１に対して第２オブジェクトＢＪ２を第１方向ＤＲ１の先端側（右側）に表示すると決定し、処理が図８のステップＳ１０３にリターンする。
【００６５】
ステップＳ２０５でＮＯの場合には、図１０に示すように、ステップＳ２０９において、第３決定部２０３が、第１オブジェクトＢＪ１に対して第２オブジェクトＢＪ２を第２方向ＤＲ２の後端側（下側）に表示するか否かを決定する。例えば、第３決定部２０３は、タッチパネル１によるユーザーからの操作に基づき、第１オブジェクトＢＪ１に対して第２オブジェクトＢＪ２を第２方向ＤＲ２の後端側に表示するか否かを決定する。具体的には、第３決定部２０３は、第２オブジェクトＢＪ２を第２方向ＤＲ２の後端側に表示する場合にタッチされる下ボタンを表示する。そして、第３決定部２０３は、下ボタンのタッチを検出した場合には、第２オブジェクトＢＪ２を第２方向ＤＲ２の後端側に表示すると決定する。
第１オブジェクトＢＪ１に対して第２オブジェクトＢＪ２を第２方向ＤＲ２の後端側に表示すると決定した場合（ステップＳ２０９でＹＥＳ）には、処理が図８のステップＳ１０３にリターンする。第１オブジェクトＢＪ１に対して第２オブジェクトＢＪ２を第２方向ＤＲ２の後端側に表示しないと決定した場合（ステップＳ２０９でＮＯ）には、処理がステップＳ２１１に進む。
【００６６】
そして、ステップＳ２１１において、第３決定部２０３が、第１オブジェクトＢＪ１に対して第２オブジェクトＢＪ２を第２方向ＤＲ２の先端側（上側）に表示するか否かを決定する。例えば、第３決定部２０３は、タッチパネル１によるユーザーからの操作に基づき、第１オブジェクトＢＪ１に対して第２オブジェクトＢＪ２を第２方向ＤＲ２の先端側（上側）に表示するか否かを決定する。具体的には、第３決定部２０３は、第２オブジェクトＢＪ２を第２方向ＤＲ２の先端側に表示する場合にタッチされる上ボタンを表示する。そして、第３決定部２０３は、上ボタンのタッチを検出した場合には、第２オブジェクトＢＪ２を第２方向ＤＲ２の先端側に表示すると決定する。
第１オブジェクトＢＪ１に対して第２オブジェクトＢＪ２を第２方向ＤＲ２の先端側に表示すると決定した場合（ステップＳ２１１でＹＥＳ）には、処理が図８のステップＳ１０３にリターンする。第１オブジェクトＢＪ１に対して第２オブジェクトＢＪ２を第２方向ＤＲ２の先端側に表示しないと決定した場合（ステップＳ２１１でＮＯ）には、処理がステップＳ２１３に進む。
【００６７】
そして、ステップＳ２１３において、第２決定部２０２が、第１オブジェクトＢＪ１に対して第２オブジェクトＢＪ２を第１方向ＤＲ１の先端側（右側）に表示するか否かを決定する。例えば、第２決定部２０２は、タッチパネル１によるユーザーからの操作に基づき、第１オブジェクトＢＪ１に対して第２オブジェクトＢＪ２を第１方向ＤＲ１の先端側（右側）に表示するか否かを決定する。具体的には、第３決定部２０３は、第２オブジェクトＢＪ２を第１方向ＤＲ１の先端側に表示する場合にタッチされる右ボタンを表示する。そして、第３決定部２０３は、右ボタンのタッチを検出した場合には、第２オブジェクトＢＪ２を第１方向ＤＲ１の先端側に表示すると決定する。
第１オブジェクトＢＪ１に対して第２オブジェクトＢＪ２を第１方向ＤＲ１の先端側に表示すると決定した場合（ステップＳ２１３でＹＥＳ）には、処理が図８のステップＳ１０３にリターンする。第１オブジェクトＢＪ１に対して第２オブジェクトＢＪ２を第１方向ＤＲ１の先端側に表示しないと決定した場合（ステップＳ２１３でＮＯ）には、処理がステップＳ２１５に進む。
【００６８】
そして、ステップＳ２１５において、第３決定部２０３が、第１オブジェクトＢＪ１に対して第２オブジェクトＢＪ２を第１方向ＤＲ１の後端側（左側）に表示するか否かを決定する。例えば、第３決定部２０３は、タッチパネル１によるユーザーからの操作に基づき、第１オブジェクトＢＪ１に対して第２オブジェクトＢＪ２を第１方向ＤＲ１の後端側に表示するか否かを決定する。具体的には、第３決定部２０３は、第２オブジェクトＢＪ２を第１方向ＤＲ１の後端側に表示する場合にタッチされる左ボタンを表示する。そして、第３決定部２０３は、左ボタンのタッチを検出した場合には、第２オブジェクトＢＪ２を第１方向ＤＲ１の後端側に表示すると決定する。
第１オブジェクトＢＪ１に対して第２オブジェクトＢＪ２を第１方向ＤＲ１の後端側に表示すると決定した場合（ステップＳ２１５でＹＥＳ）には、処理が図８のステップＳ１０３にリターンする。第１オブジェクトＢＪ１に対して第２オブジェクトＢＪ２を第１方向ＤＲ１の後端側に表示しないと決定した場合（ステップＳ２１５でＮＯ）には、処理がステップＳ２１７に進む。
そして、ステップＳ２１７において、制御部２が、第１オブジェクトＢＪ１に対して第２オブジェクトＢＪ２を第２方向ＤＲ２の後端側（下側）に表示すると決定し、処理が図８のステップＳ１０３にリターンする。
【００６９】
以上、図１、図２、図６〜図９及び図１０を参照して説明したように、本発明の実施形態では、ユーザーが右利きであるか左利きであるかに応じて、ディスプレー１１における第１オブジェクトＢＪ１の表示位置を調整する。具体的には、ユーザーが右利きである場合には、第１オブジェクトＢＪ１に対して第２オブジェクトＢＪ２を左側に表示する。この場合には、調整部２０５は、ディスプレー１１において第１オブジェクトＢＪ１が右端に位置するように第１画面ＳＣ１をスクロールする。一方、ユーザーが左利きである場合には、第１オブジェクトＢＪ１に対して第２オブジェクトＢＪ２を右側に表示する。この場合には、調整部２０５は、ディスプレー１１において第１オブジェクトＢＪ１が左端に位置するように第１画面ＳＣ１をスクロールする。したがって、第２オブジェクトＢＪ２を更に適正な位置に表示できる。例えば、第１オブジェクトＢＪ１にタップ操作を行う場合には、第２オブジェクトＢＪ２がユーザーの手によって隠されることを抑制できる。
【００７０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７１】
（１）図１を参照して説明したように、本発明の実施形態では、「表示制御装置」がタブレット端末装置１００であるが、本発明はこれに限定されない。「表示制御装置」がディスプレー１１と制御部２とを備えればよい。例えば、「表示制御装置」が、スマートフォン、ＣＤプレイヤー、ＤＶＤプレイヤー、及び各種家電機器のような装置である形態でもよい。また、例えば「表示制御装置」が、カーナビゲーション装置である形態でもよい。更に、例えば「表示制御装置」が、パーソナルコンピューターである形態でもよい。
【００７２】
（２）図１〜図１０を参照して説明したように、本発明の実施形態では、第１オブジェクトＢＪ１がアイコンを示すが、本発明はこれに限定されない。第１オブジェクトＢＪ１が、ディスプレー１１に表示されるものであればよい。例えば、第１オブジェクトが、ボタンオブジェクトである形態でもよいし、画像オブジェクトである形態でもよい。
【００７３】
（３）図１〜図１０を参照して説明したように、本発明の実施形態では、第２オブジェクトＢＪ２が吹き出しを示すが、本発明はこれに限定されない。第２オブジェクトが第１オブジェクトに関連する情報を示せばよい。例えば、第２オブジェクトがボタンオブジェクトである形態でもよいし、画像オブジェクトである形態でもよい。
【００７４】
（４）図１〜図５、及び図８を参照して説明したように、本発明の実施形態では、「所定の操作」がタップ操作であるが、本発明はこれに限定されない。「所定の操作」が第１オブジェクトに対する操作であればよい。例えば「所定の操作」が第１オブジェクトに対するダブルタップ操作である形態でもよい。また、例えば「所定の操作」が第１オブジェクトに対するスワイプ操作である形態でもよい。更に、例えば「所定の操作」がマウスの左クリック操作である形態でもよい。
【００７５】
（５）図１〜図５、及び図８を参照して説明したように、本発明の実施形態では、調整部２０５が第１画面ＳＣ１をスクロールするが、本発明はこれに限定されない。調整部２０５が第１画面ＳＣ１を移動すればよい。例えば、調整部２０５が第１画面ＳＣ１を第２画面ＳＣ２に切り換える形態でもよい。
【００７６】
（６）図１〜図１０を参照して説明したように、本発明の実施形態では、調整部２０５がディスプレー１１における第１オブジェクトＢＪ１の表示位置を調整した後で、表示部２０６が第２オブジェクトＢＪ２を表示するが、本発明はこれに限定されない。第１オブジェクトＢＪ１に対して所定の操作が行われたことを検出部２０４が検出した場合に、調整部２０５がディスプレー１１における第１オブジェクトＢＪ１の表示位置を調整し、表示部２０６が第２オブジェクトＢＪ２を表示すればよい。例えば、表示部２０６が第２オブジェクトＢＪ２を表示した後で、調整部２０５がディスプレー１１における第１オブジェクトＢＪ１の表示位置を調整する形態でもよい。
【産業上の利用可能性】
【００７７】
本発明は、ディスプレーを備える表示制御装置、及び表示制御方法に利用可能である。
【符号の説明】
【００７８】
１００    タブレット端末装置（表示制御装置）
１    タッチパネル
１１    ディスプレー
１２    タッチセンサー
２    制御部
２１    プロセッサー
２２    記憶部
２０１    第１決定部
２０２    第２決定部
２０３    第３決定部
２０４    検出部
２０５    調整部
２０６    表示部
ＤＲ１    第１方向
ＤＲ２    第２方向
ＢＪ１    第１オブジェクト
ＢＪ２    第２オブジェクト
ＳＣ１    第１画面
ＳＣ２    第２画面
ＳＣ３、ＳＣ４、ＳＣ５、ＳＣ６    画面
【図１】
2018101333.tif 000003
【図２】
2018101333.tif 000004
【図３】
2018101333.tif 000005
【図４】
2018101333.tif 000006
【図５】
2018101333.tif 000007
【図６】
2018101333.tif 000008
【図７】
2018101333.tif 000009
【図８】
2018101333.tif 000010
【図９】
2018101333.tif 000011
【図１０】
2018101333.tif 000012